(57)【特許請求の範囲】
【請求項１】
断面略凹状をなす収納管路用ブロック本体と、該収納管路用ブロック本体の上面を塞ぐ長方形状の蓋部材とを備え、
前記蓋部材の幅方向両側端面は同方向に平行して傾斜する傾斜端面として形成され、
前記収納管路用ブロックの一方の側壁上端部には、収納管路用ブロック本体の中央部に、蓋部材の載置面に対して、鋭角をなす側壁を有する係止段部が設けられ、該係止段部の長さ方向両端側部分には、蓋部材の載置面に対して、広角をなす側壁を有する係止段部が設けられ、前記収納管路用ブロックの他方の側壁上端部には、収納管路用ブロック本体の全長に、蓋部材の載置面に対して、広角をなす側壁を有する係止段部が設けられ、
前記一方の側壁上端部で、収納管路用ブロック本体の中央部に設けられた係止段部及び他方の側壁上端部で、収納管路用ブロック本体の全長に設けられた係止段部の側壁は、前記蓋部材の傾斜端面に対応して形成されてなり、
前記蓋部材の長さ方向両端面には、隣り合う蓋部材同士の端面を接続する連結機構が各々設けられている、
ことを特徴とする収納管路用ブロック。
【請求項２】
前記連結機構は、蓋部材の長さ方向両端面に、隣り合う蓋部材同士の端面を接続する連結ピンが嵌入可能にした連結孔が各々穿設されて形成されている、
ことを特徴とする請求項１記載の収納管路用ブロック。
【請求項３】
前記連結機構は、蓋部材の長さ方向両端面に、隣り合う蓋部材同士の端面を接続すべく突出した連結突起と該連結突起が嵌入する突起用連結孔が各々設けられて形成されている、
ことを特徴とする請求項１記載の収納管路用ブロック。
【請求項４】
前記請求項１記載の収納管路用ブロックを長さ方向に接続して収納管路を施工する方法であって、
前記収納管路用ブロック本体の両側壁上端部に形成した鋭角をなす一方側係止段部側壁及び該側壁の長さ方向両端側に形成された拡開係止段部が、左右互いに違いに位置するよう前記請求項１記載の収納管路用ブロックの向きを１８０度変えて該収納管路用ブロック本体を接続し、
次いで、前記接続した収納管路用ブロック本体上面に、幅方向両側端面に形成した平行する傾斜端面が当接するよう、前記係止段部内に蓋部材を左右互い違いに向きを１８０度変えて載置してなり、
接続すべき隣り合う蓋部材同士は、該蓋部材の長さ方向において前記の連結ピンを前記連結孔に嵌入することで連結し、あるいは前記連結突起を連結突起用孔に嵌入することで連結した、
ことを特徴とする収納管路の施工方法。
【発明の詳細な説明】
【０００１】
【産業上の利用分野】
本発明は、例えば、鉄道線路近傍位置等に設けられ、それら鉄道関連施設に使用される配線ケーブル群を収納する配線ケーブル収納用の収納管路の施工方法及び該施工に使用される収納管路用ブロックに関するものである。
【従来の技術】
一般に鉄道関連施設等に使用される配線ケーブル群を収納する配線ケーブル収納用管路は、主に鉄道の線路脇等に設けられる。そして、敷設された収納管路及び該収納管路に使用された収納管路用ブロックは、内部に重要な配線ケーブル等が収納されているため簡単に蓋が開けられないように形成しなければならない。
【０００２】
しかして従来は、その収納管路の外周をワイヤーロープ等で巻回する等して蓋を開けられないように工夫していた。
【０００３】
しかしながら、このような従来構成は、ワイヤーロープをいちいち巻き付ける作業が非常に作業手間になっていた。
【０００４】
また、ワイヤーロープを巻き付けた収納管路は外観上も雑然としており、外観の美観の面からもあまり好ましいものではなかった。
【発明が解決しようとする課題】
かくして、本発明は上記の事情に鑑みてなされたものであり、前記のように収納管路用ブロックの外周にワイヤーロープを巻くことなく、しかも作業が簡単で、外観上の美観も整然としていて好ましく、施工工事終了後に容易に蓋を開けることが出来ず、治安上も非常に好ましい収納管路の施工方法及び収納管路用ブロックを提供することを目的とするものである。
【課題を解決するための手段】
かくして本発明による収納管路の施工方法及び収納管路用ブロックは、
断面略凹状をなす収納管路用ブロック本体と、該収納管路用ブロック本体の上面を塞ぐ長方形状の蓋部材とを備え、
前記蓋部材の幅方向両側端面は同方向に平行して傾斜する傾斜端面として形成され、
前記収納管路用ブロックの一方の側壁上端部には、収納管路用ブロック本体の中央部に、蓋部材の載置面に対して、鋭角をなす側壁を有する係止段部が設けられ、該係止段部の長さ方向両端側部分には、蓋部材の載置面に対して、広角をなす側壁を有する係止段部が設けられ、前記収納管路用ブロックの他方の側壁上端部には、収納管路用ブロック本体の全長に、蓋部材の載置面に対して、広角をなす側壁を有する係止段部が設けられ、
前記一方の側壁上端部で、収納管路用ブロック本体の中央部に設けられた係止段部及び他方の側壁上端部で、収納管路用ブロック本体の全長に設けられた係止段部の側壁は、前記蓋部材の傾斜端面に対応して形成されてなり、
前記蓋部材の長さ方向両端面には、隣り合う蓋部材同士の端面を接続する連結機構が各々設けられている、
ことを特徴とし、
または、前記連結機構は、蓋部材の長さ方向両端面に、隣り合う蓋部材同士の端面を接続する連結ピンが嵌入可能にした連結孔が各々穿設されて形成されている、
ことを特徴とし、
または、前記連結機構は、蓋部材の長さ方向両端面に、隣り合う蓋部材同士の端面を接続すべく突出した連結突起と該連結突起が嵌入する突起用連結孔が各々設けられて形成されている、
ことを特徴とし、
または、前記納管路用ブロックを長さ方向に接続して収納管路を施工する方法であって、
前記収納管路用ブロック本体の両側壁上端部に形成した鋭角をなす一方側係止段部側壁及び該側壁の長さ方向両端側に形成された拡開係止段部が、左右互いに違いに位置するよう前記収納管路用ブロックの向きを１８０度変えて該収納管路用ブロック本体を接続し、
次いで、前記接続した収納管路用ブロック本体上面に、幅方向両側端面に形成した平行する傾斜端面が当接するよう、前記係止段部内に蓋部材を左右互い違いに向きを１８０度変えて載置してなり、
接続すべき隣り合う蓋部材同士は、該蓋部材の長さ方向において前記の連結ピンを前記連結孔に嵌入することで連結し、あるいは前記連結突起を連結突起用孔に嵌入することで連結した、
ことを特徴とするものである。
【発明の実施の態様】
以下、本発明の好適な実施例を図に基づいて説明する。
【０００５】
図において、符号２は蓋部材を示し、該蓋部材２は、前記収納管路用ブロック本体１の上面を塞ぐよう略長方形状をなす板状部材として形成されている。
【０００６】
そして、この蓋部材２の幅方向両側端面は、いずれも同じ方向に、すなわち平行に傾斜する傾斜端面２０，２０として形成されている。
【０００７】
さらに、当該蓋部材２の長さ方向両端面には、隣り合って敷設される蓋部材２の端部を接続する連結ピン２２，２２が嵌入可能にされた連結孔２３，２３が各々設けられている。
【０００８】
次に、符号１は断面略凹状をなす収納管路用ブロック本体を示す。この収納管路用ブロック本体１の材質については何ら限定されるものではないが、通常はコンクリート部材により形成される。
【０００９】
そして、前記収納管路用ブロック本体１の両側壁３，３の上端部には、前記蓋部材２の前記傾斜端面２０，２０が当接すべく形成された係止段部４−１，４−２が各々両側に設けられている。
【００１０】
すなわち、本実施例において、両係止段部４−１，４−２の両側壁５−１，５−２は前記蓋部材２の前記傾斜端面２０，２０の傾斜角度に各々対応、当接するよう同方向に傾斜する傾斜角度を有して形成されているのである。
【００１１】
従って一方側の係止段部側壁５−１は鋭角をなし、他方側の係止段部側壁５−２は広角をなして形成されている。
【００１２】
さらに、図３等から理解されるように、前記鋭角をなす一方側係止段部側壁５−１の長さ方向両端側部分については、対向する他方側係止段部４−２の広角をなす傾斜角度の側壁５−２と同様の角度に広げて形成された拡開係止段部２１，２１が設けられている。
【００１３】
しかして、この拡開係止段部２１の長さについては何ら限定されないが、本実施例においては図３等に示すように収納管路ブロック本体１の長さの略４分の１底の長さにした拡開係止段部２１が各々両端に設けられて形成されている。
【００１４】
しかして、本発明ではこの１つの収納管路ブロック本体１を１８０度向きを変えて接続し、もって収納管路の施工をするのである。以下その施工法を説明する。
【００１５】
まず、収納管路を敷設すべきある区間において、本発明による収納管路本体１をその長さ方向に順次接続していく。
【００１６】
接続の仕方は、図３等から理解されるように、また前述の如く収納管路本体１と次に接続する収納管路本体１とをその幅方向一方側に形成した前記拡開係止段部２１が左右互い違い方向になるよう１８０度向きを変えて接続していく。
【００１７】
その後、収納管路本体１の上面に蓋部材２を載置して閉蓋するのであるが、その作業は、最初の収納管路本体１における係止段部４−１，４−２の傾斜角度に合わせて蓋部材２を被せる。
【００１８】
そして、接続された次の収納管路本体１における係止段部側壁５−１，５−２の傾斜角度は先の収納管路本体１の係止段部側壁５−１，５−２の傾斜角度とは逆方向となっているため、蓋部材２についても傾斜端面２０，２０を１８０度向きを変えて被せる。
【００１９】
この際、接続すべき蓋部材２，２の長さ方向の端面同士を連結孔２２に連結ピン２３を嵌入して両者を接続することになる。この連結ピン２３を連結孔２２に嵌入する作業は図１あるいは図２に示すように、前記説明した拡開係止段部２１の長さのスペース内で行えるものとなっている。
【００２０】
しかして、順次蓋部材２及び連結ピン２３による接続作業を順次繰り返し行うものとする。
【００２１】
尚、図２には、連結ピン２２及び連結孔２３の代わりに、連結突起２４と突起用連結孔２５を設け、これらにより隣り合う蓋部材２，２同士を連結している。
【００２２】
しかして、最後の収納管路ブロック本体１は図１１乃至図１６に示すように、係止段部側壁５，５が同方向に平行して傾斜しないものが使用される。
【００２３】
そしてこの収納管路ブロック本体１に使用される蓋部材２についても図１５から理解されるように、スライドして取り付けるのではなく、そのまま下に蓋部材２を落とし込み、収納管路ブロック本体１の両側壁５，５外側からいわゆる特殊形状のボルト１２を差し込み、このボルト１２を蓋部材２の幅方向両側面に螺合して閉蓋状態とするのである。
【００２４】
このように少なくとも最後端の蓋部材２だけはボルト止めのものとする。
【００２５】
しかして敷設した収納管路について通常は蓋部材２を開蓋することは出来ないが、ケーブルの破損事故等で緊急にどうしても収納管路内を点検しなければならないとき等は、まず所定敷設箇所で前記最後端に敷設した収納管路本体１の蓋部材２を外す。
【００２６】
次いで、最後端から２番目以降の収納管路ブロック本体１についての蓋部材２を順次後端側にスライドさせ、蓋部材２を開蓋したい箇所のところで前記蓋部材２，２同士を接続している連結ピン２２等を外して連結状態を解き、その蓋部材２を上に持ち上げて開蓋すればよい。
【００２７】
そして作業終了後に再びスライド方式で蓋部材２を閉蓋し、前記最後端の蓋部材２を再びボルト１２で螺合し、閉蓋状態とすればよい。
【発明の効果】
かくして本発明は以上の構成からなる。
【００２８】
そして本発明による収納管路用ブロック及び収納管路の施工方法であれば、収納管路用ブロックの外周にワイヤーロープ等を巻くことなく、しかも閉蓋作業が簡単で、外観上の美観も好ましい収納管路を提供できる。
【００２９】
また、収納管路施工工事終了後には不特定人が容易に蓋を開けることが出来ず、治安上も非常に好ましい収納管路を提供できる。
【００３０】
そして、収納管路の中間等において、緊急に蓋を開蓋しなければならない事情があったとしても、収納管路及び蓋部材を損傷することなく、かつ比較的容易に所望箇所の蓋を回付他することが出来るなど優れた効果を奏する。
【図面の簡単な説明】
【図１】本発明による第１実施例の収納管路の構成を説明する説明図（その１）である。
【図２】本発明による第２実施例の収納管路の構成を説明する説明図（その１）である。
【図３】本発明による収納管路ブロック本体の構成を説明する説明図（その１）
【図４】本発明による収納管路ブロック本体の構成を説明する説明図（その２）
【図５】本発明による収納管路ブロック本体の構成を説明する説明図（その３）
【図６】本発明による収納管路ブロック本体の構成を説明する説明図（その４）
【図７】本発明による第１実施例の蓋部材の構成を説明する説明図（その１）である。
【図８】本発明による第１実施例の蓋部材の構成を説明する説明図（その２）である。
【図９】本発明による第２実施例の蓋部材の構成を説明する説明図（その１）である。
【図１０】本発明による第２実施例の蓋部材の構成を説明する説明図（その２）である。
【図１１】両側からボルトで蓋部材を固定するタイプの収納管路ブロックの構成を説明する説明図（その１）である。
【図１２】両側からボルトで蓋部材を固定するタイプの収納管路ブロックの構成を説明する説明図（その２）である。
【図１３】両側からボルトで蓋部材を固定するタイプの収納管路ブロックの構成を説明する説明図（その３）である。
【図１４】両側からボルトで蓋部材を固定するタイプの収納管路ブロックの構成を説明する説明図（その４）である。
【図１５】両側からボルトで固定するタイプの蓋部材の構成を説明する説明図（その１）である。
【図１６】両側からボルトで固定するタイプの蓋部材の構成を説明する説明図（その１）である。
【符号の説明】
１  収納管路ブロック本体
２  蓋部材
３  収納管路ブロック本体の側壁
４−１、４−２  係止段部
５、５−１、５−２  係止段部の側壁
１２  ボルト
２０  傾斜端面
２１  拡開係止段部
２２  連結ピン
２３  連結孔
２４  連結突起
２５  突起用連結孔
【図１】
0004488275.tif 000002
【図２】
0004488275.tif 000003
【図３】
0004488275.tif 000004
【図４】
0004488275.tif 000005
【図５】
0004488275.tif 000006
【図６】
0004488275.tif 000007
【図７】
0004488275.tif 000008
【図８】
0004488275.tif 000009
【図９】
0004488275.tif 000010
【図１０】
0004488275.tif 000011
【図１１】
0004488275.tif 000012
【図１２】
0004488275.tif 000013
【図１３】
0004488275.tif 000014
【図１４】
0004488275.tif 000015
【図１５】
0004488275.tif 000016
【図１６】
0004488275.tif 000017